(57)【要約】【課題】  従来の照明器具では回動する光源モジュールを回動軸のみで支えているため、照明器具に振動が加えられた場合に、配光の向きが変動してしまう恐れや、光源モジュールの振動が回動軸一点に集中し、応力集中によって回動軸部分が破損し落下してしまう恐れがある。【解決手段】  照明器具１は、中空半柱状の反射板４と、反射板４の両端面に支持される回転軸５と、この回転軸５を支点に回動自在に設けられた光源モジュール２１ａ、２１ｂと、回動支点とは異なる端部を反射板４に固定する固定片７を備えて、回動する光源モジュール７を複数点で支える構成にしたので、振動が加えられた場合でも、光源モジュール７の荷重は、回動軸５および固定片７の複数で支えられているため、振動が一点のみに伝わることがなく、振動を複数に分散させることで、配光角度を維持するとともに破損を防止することができ、また、配光変更の可能な照明器具１を提供することができる。【選択図】          図２
2014120415.tif 000002
【特許請求の範囲】
【請求項１】
天井から吊り下げられる一部が開口した中空半柱状の反射板と、
前記反射板の内部に設けられ前記反射板の両端面に支持される軸と、
前記軸と接続され前記軸を支点に回動自在に設けられた、複数の光源を有する光源モジュールと、
前記光源モジュールの回動支点とは異なる端部を前記反射板に固定する固定片と、
を備えたことを特徴とする照明器具。
【請求項２】
前記固定片によって支持される前記光源モジュールの端部は、
前記光源モジュールの端部のうち、前記軸と直交する方向において、前記軸から最も離れた位置にある端部であることを特徴とする請求項１に記載の照明装置。
【請求項３】
前記光源モジュールの前記軸と直交する側面に設けられた第一の貫通穴と、前記反射板の端面に設けられた第二の貫通穴とに前記固定片を挿通させて、前記光源モジュールを前記反射板に支持することを特徴とする請求項１または請求項２のいずれかに記載の照明器具。
【請求項４】
前記第二の貫通穴は、前記光源モジュールに設けられた前記固定片に支持される前記第一の貫通穴が前記軸を支点に回転させて描く円弧上に複数設けられていることを特徴とする請求項１から請求項３のいずれかに記載の照明器具。
【請求項５】
前記軸は、前記反射板の端面に設けられた第三の貫通穴に挿通することで前記反射板の端面に支持され、前記第三の貫通穴は、前記反射板の端面の対称軸上に複数設けられていることを特徴とする請求項１から請求項４のいずれかに記載の照明器具。
【発明の詳細な説明】
【技術分野】
【０００１】
本発明は、光源にＬＥＤを用い、配光を容易に変更することができる照明器具に関するものである。
【背景技術】
【０００２】
ＬＥＤ直管ランプを使用した器具や、ＬＥＤラインモジュールを使用した器具は、ＬＥＤの指向性が強いため、限られた方向にしか光を照射することができない。そこで、直線状に複数のＬＥＤが並べられた長方形状の光源モジュールの一辺を軸にして回動させ、光源であるＬＥＤの周囲に設けた導光体の向きを変えることにより、配光を変更する照明器具が知られている。（例えば、特許文献１参照）。
【先行技術文献】
【特許文献】
【０００３】
【特許文献１】特開２０１０−１９２３１４号公報（図７）
【発明の概要】
【発明が解決しようとする課題】
【０００４】
しかしながら、従来の吊り下げ式の照明器具では回動する光源モジュールを回動軸のみで支えているため、照明器具に振動が加えられた場合に、配光の向きが変動してしまうおそれや、光源モジュールの振動が回動軸一点に集中し、応力集中によって回動軸部分が破損し落下してしまうおそれがある。
【０００５】
本発明は、上記のような問題を解決するためになされたものであり、照明器具に振動が加えられた場合でも配光角度を維持することができ、照明器具の破損および落下を防止できる、外部からの振動に強い、配光変更の可能な照明器具を提供することを目的とする。
【課題を解決するための手段】
【０００６】
本発明に係る照明器具は、天井から吊り下げられる一部が開口した中空半柱状の反射板と、反射板の内部に設けられ前記反射板の両端面に支持される軸と、軸と接続され軸を支点に回動自在に設けられた、複数の光源を有する光源モジュールと、光源モジュールの回動支点とは異なる端部を反射板に固定する固定片と、を備えたことを特徴とするものである。
【発明の効果】
【０００７】
本発明によれば、回動する光源モジュールを複数点で支える構成にしたので、照明器具に振動が加えられた場合でも、光源モジュールの荷重は、回動軸および固定片の複数で支えられているため、振動が一点のみに伝わることがなく、振動を複数に分散させることで、配光角度の維持および照明器具の破損を防止することのできる、配光変更の可能な照明器具を提供することができる。
【図面の簡単な説明】
【０００８】
【図１】本発明の実施の形態１に係る照明器具を示した斜視図である。
【図２】本発明の実施の形態１に係る照明器具の化粧板を外した様子を示した側面図である。
【図３】本発明の実施の形態１に係る照明器具の光源モジュールを水平に配置した様子を示した断面図である。
【図４】本発明の実施の形態１に係る照明器具の光源モジュールを示した斜視図である。
【図５】本発明の実施の形態１に係る照明器具の固定片を示した斜視図である。
【図６】本発明の実施の形態１に係る照明器具の光源モジュールをＶ字に配置した様子を示した断面図である。
【図７】本発明の実施の形態２に係る照明器具の固定片を示した斜視図である。
【図８】本発明の実施の形態２に係る照明器具の光源モジュールを示した斜視図である。
【図９】本発明の実施の形態２に係る照明器具の光源モジュールをＶ字に配置した様子を示した断面図である。
【発明を実施するための形態】
【０００９】
以下、本発明に係る照明器具の好適な実施の形態について図を参照して説明する。なお、これらの実施の形態によって本発明が限定されることはない。
【００１０】
実施の形態１．
本発明の実施の形態１に係る照明器具について図１〜図４を用いて説明する。図１は実施の形態１に係る照明器具を斜めからみたもの、図２は実施の形態１に係る照明器具の端面を覆う化粧板を外した様子を端面側からみたもの、図３は実施の形態１に係る照明器具の光源モジュールを水平に配置した断面の様子を端面側からみたもの、図４は実施の形態１に係る照明器具の光源モジュールを斜めからみたもの、図５は実施の形態１に係る照明器具の固定片を斜めからみたものである。
【００１１】
図１に示すように、実施の形態１に係る照明器具１は、天井から吊るされる照明器具であり、照明器具本体２および照明器具本体２を吊り下げるパイプ状の吊り下げ具３とで構成されている。
【００１２】
照明器具本体２は、吊り下げ具３に吊り下げられる、一部が開口した中空半柱状の反射板４と、反射板４内部に固定された回動軸５を介して回動可能に設けられた一対の光源モジュール６ａ、６ｂと、光源モジュール６ａ、６ｂの配光角度（位置）を固定する固定片７とを備えている。
【００１３】
吊り下げ具３は、照明器具本体２を吊り下げるとともに、天井に設けられた配線器具の電力を照明器具本体２へ供給するためのパイプである。図２に示すように、吊り下げ具３の下部先端にはねじ切り部が設けられ、反射板４上部に設けられた穴部（図示せず）に挿入されている。吊り下げ具３の下部先端のねじ切り部には、反射板４を挟み込むように二つのナット３ａが設けられ、二つのナット３ａが反射板４を上下方向から挟み、反射板４を締め付けることによって、吊り下げ具３と反射板４が連結されている。
【００１４】
反射板４は、半柱状をなす板金からなり、蒲鉾状に湾曲した笠板８と、笠板８の両端部より内側に笠板８の断面を塞ぐよう設けられた一対の端板９とで構成され、反射板４の内側の表面には高い反射率となる表面処理が施されている。また、反射板４の笠板８の両端面は意匠性を向上させるため、端板９および固定片７を隠す化粧板１０で覆われている。
【００１５】
反射板４の端板９は、半円と、該半円の水平部に半円の直径と同じ長さの長辺をもつ長方形を組み合わせた蒲鉾形状をなしており、端板９の半円の中心点９ａよりも下方の、端板９の半円の対称軸上に、回動軸５を挿入する回転軸穴１１が設けられている。
【００１６】
端板９の表面には、端板９の半円の中心点９ａを中心とする端板９の半径ａよりも短い半径ｂを回転させて描く円弧上に複数の固定穴１２が設けられており、回転軸穴１１から０度の方向に固定穴１２ａ、回動軸穴から＋５度の方向に固定穴１２ｂ、回動軸穴から＋１０度の方向に固定穴１２ｃ、回動軸穴から−５度の方向に固定穴１２ｄが設けられている。
【００１７】
また、端板９の表面の、端板９の対称軸を介して固定穴１２ａ〜１２ｄと線対象な位置に、回転軸穴１１から０度の方向に固定穴１２ｅ、回動軸穴から＋５度の方向に固定穴１２ｆ、回動軸穴から＋１０度の方向に固定穴１２ｇ、回動軸穴から−５度の方向に固定穴１２ｈが設けられている。
【００１８】
図３に示すように、光源モジュール６ａ、６ｂは、回動軸５を介して連結されており、回動軸５の右側に光源モジュール６ａ、回動軸５の左側に光源モジュール６ｂが配置されている。
【００１９】
光源モジュール６ａは、モジュールケース１３ａと、モジュールケース１３ａ内に設けられた直方体形状のＬＥＤ光源１４ａと、ＬＥＤ光源１４ａを覆いＬＥＤの照射方向を限定する直方体形状のリフレクタ１５ａとで構成されている。また、光源モジュール６ａは、光源モジュール６ａの照射面とは反対側の面である上端面に電源ユニット（図示せず）を備え、天井に設けられた配線器具の電力が吊り下げ具３を介して電源ユニットへと供給されている。
【００２０】
モジュールケース１３ａは、金属製であって、図４に示すように、外形が直方体形状に形成されている。ＬＥＤ光源１４ａの短手方向側面および上端面を覆うベース部分１６ａと、ベース部分１６ａの長手方向における側縁の一辺から突出するＬ字断面の側面部１７ａと、ベース部分１６ａの長手方向における側縁の他辺から突出するコの字断面の側面部１８ａとで構成されている。
【００２１】
Ｌ字断面の側面部１７ａは、ベース部分１６ａの長手方向における側縁の一辺からＬＥＤ光源１４ａとリフレクタ１５ａの長手方向側面を覆うように延在し、さらにベース部分１６ａの短手方向に沿って遠ざかる方向に張り出しており、張り出した側縁にはベース部分１６ａの長手方向に沿って延びる円筒状のスリーブ１９ａを有している。スリーブ１９ａの内部には回転軸５が挿通され、光源モジュール６ａを反射板４の端板９に回動可能に固定している。
【００２２】
コの字断面の側面部１８ａは、側面部１７ａとは反対側の、ベース部分１６ａの長手方向における側縁の一辺からＬＥＤ光源１４ａとリフレクタ１５ａの長手方向側面を覆うように延在し、ＬＥＤ光源１４ａとリフレクタ１５ａの長手方向側面を覆う部分を側面、ベース部分１６ａの短手方向に沿って遠ざかる方向に張り出した部分を底面とする上方が解放された直方体部材で形成されており、側面部１８ａの長手方向における両端面の中央には、固定片７を挿入するための固定穴２０ａが設けられている。
【００２３】
光源モジュール６ａにおいて、回転軸５と直交する方向に、回転軸５から最も離れた端部に固定穴１２ａ〜１２ｄを設けることで、回転軸５の力のモーメントが釣り合い、光源モジュール６ａを安定して固定させることができる。
【００２４】
図５に示すように、固定片７はＬ字に曲げられた棒形状をなしており、図３に示すように、反射板４の端板９に設けられた固定穴１２ａ〜１２ｄのいずれかとモジュールケース１３ａに設けられた固定穴２０ａを重ねた穴部に固定片７を挿通させることで、光源モジュール６ａの回動軸５側ではない端部を固定させることができ、光源モジュール６ａの両端部を回動軸５および固定片７で角度をつけて固定することができる。また、固定片７は、振動などで動き固定穴１２ａ〜１２ｄおよび固定穴２０ａを貫通して抜け落ちてしまうのを防止するため、Ｌ字に曲げられている。
【００２５】
また、光源モジュール６ｂは光源モジュール６ａと回転軸５を介して線対称な構造をしており、構成については光源モジュール６ａと同一である。なお、光源モジュール６ａと同一な構成部分については同一符号（数字）を付し、光源モジュール６ａ、６ｂどちらの構成部品であるかは符号末尾の英文字で区別し、その説明は省略する。
【００２６】
次に、光源モジュールの固定方法および回動方法について図３、図６を用いて説明する。図６は実施の形態１に係る照明器具をＶ字型に照射させる様子をあらわしたものである。
【００２７】
なお、光源モジュール６ａ、６ｂを固定する際、反射板４の両端部に設けられた一対の端板９のうち一方の端板に光源モジュール６ａ、６ｂの一端を固定する方法と、他方の端板に光源モジュール６ａ、６ｂの他端を固定する方法は同一であり説明が重複するため、以下の説明では、反射板４の両端部に設けられた一対の端板９のうち、一方の端板９に光源モジュール６ａ、６ｂの一端を固定する方法のみを述べ、他方の端板９に固定された光源モジュール６ａ、６ｂの他端の固定方法は省略する。
【００２８】
図３に示すように、光源モジュール６ａ、６ｂを配光角度をつけずに照射される位置に固定する場合、光源モジュール６ａに設けられた固定穴２０ａが、端板９の半円の中心点９ａと水平にもうけられた固定穴１２ａと重なる位置に光源モジュールを配置させ、固定穴２０ａおよび固定穴１２ａに固定片７を挿通させて固定し、光源モジュール６ｂに設けられた固定穴２０ｂが、反射板４の端板９の半円の中心点９ａと水平にもうけられた固定穴１２ｅと重なる位置に光源モジュール６ｂを配置させ、固定穴２０ｂおよび固定穴１２ｅに固定片７を挿通させて固定する。
【００２９】
そして、図６に示すように、光源モジュール６ａ、６ｂの配光角度をＶ字型に固定させ外側へ照射させる場合、まず光源モジュール６ａの固定穴２０ａおよび端板９の固定穴１２ａに挿入された固定片７を引き抜き、光源モジュール６ａを、光源モジュール６ａの固定穴２０ａが回転軸穴１１から＋１０度の方向に設けられた固定穴１２ｃに重なる位置まで回動させる。そして、固定穴２０ａおよび固定穴１２ｃに固定片７を挿入して光源モジュール６ａを固定させる。
【００３０】
その後、光源モジュール６ｂも同様に、光源モジュール６ｂの固定穴２０ｂおよび端板９の固定穴１２ｅに挿入された固定片７を引き抜き、光源モジュール６ｂを、光源モジュール６ｂの固定穴２０ｂが端板９に回転軸穴から＋１０度の方向に設けられた固定穴１２ｇに重なる位置回動させ、固定穴２０ｂおよび固定穴１２ｇに固定片７を挿入して光源モジュール６ｂを固定させる。
【００３１】
なお、光源モジュール６ａ、６ｂの配光角度を変更する際、固定片７を引き抜き、挿通させる穴を変更する必要があるため、端板９を覆う化粧板１０を事前に外しておく必要がある。
【００３２】
以上のように、光源モジュール６ａ、６ｂの固定穴を端板の固定穴１２ａ〜１２ｈに重ね合わせ固定片７を挿入して固定させることで、光源モジュール６ａ、６ｂの両端部が支持され、光源モジュール６ａ、６ｂを様々な角度で固定させることができる。
【００３３】
例えば、光源モジュール６ａ、６ｂの配光角度をハの字型に固定させ、内側へ照射させる場合、光源モジュール６ａの固定穴２０ａと端板９に回転軸穴１１から−５度の方向に設けられた固定穴１２ｄとを合わせて固定片７を挿入し、光源モジュール６ｂの固定穴２０ｂと端板９に回転軸穴１１から−５度の方向に設けられた固定穴１２ｈとを合わせて固定片７を挿入することで、光源モジュール６ａ、６ｂがハの字型に固定される。
【００３４】
また、光源モジュール６ａ、６ｂの配光角度を一直線に右に傾かせて固定させる場合、光源モジュール６ａの固定穴２０ａと端板９に回転軸穴１１から＋５度の方向に設けられた固定穴１２ｂとを合わせて固定片７を挿入し、光源モジュール６ｂの固定穴２０ｂと端板９に回転軸穴１１から−５度の方向に設けられた固定穴１２ｈとを合わせて固定片７を挿入することで、光源モジュール６ａ、６ｂが一直線に傾いて右方向へ照射されるように固定される。
【００３５】
以上のように、実施の形態１によれば、回動する光源モジュール６ａ、６ｂを、光源モジュール６ａ、６ｂの一端だけではなく、光源モジュール６ａ、６ｂの両端部を回転軸５および固定片２４の複数の点で支えているので、照明器具１に振動が加えられた場合でも、光源モジュール６ａ、６ｂの荷重が回動軸５および固定片２４の複数に分散され、配光角度を維持するとともに荷重の一点集中による照明器具１の破損を防止することができるので、振動に強い、配光変更の可能な照明器具１を提供することができる。
【００３６】
実施の形態２．
図７は実施の形態２に係る照明器具の固定片を斜めからみたもの、図８は実施の形態２に係る照明器具の光源モジュールを斜めからみたもの、図９は実施の形態２に係る照明器具をＶ字型に照射させる様子をあらわしたものである。
【００３７】
この実施の形態２が図３に示す実施の形態１と異なるのは、固定片を、断面Ｌ字状の棒のみでなくバネと組み合わせスライド可能な構成にした点である。その他の構成については実施の形態１と同一又は同等である。なお、実施の形態１と同一又は同等な構成部分については同一符号を付し、その説明は省略する。
【００３８】
図９に示すように、照明器具本体２は、吊り下げ具３に吊り下げられる一部が開口した中空半柱状の反射板４と、反射板４内部に固定された回動軸５を介して回動可能に設けられた一対の光源モジュール２１ａ、２１ｂと、光源モジュール２１ａ、２１ｂの配光角度を固定する固定片２４とを備えている。
【００３９】
図８に示すように、光源モジュール２１ａは、モジュールケース２２ａと、モジュールケース２２ａ内に設けられた直方体形状のＬＥＤ光源１４ａと、ＬＥＤ光源１４ａを覆いＬＥＤの照射方向を限定する直方体形状のリフレクタ１５ａとで構成されている。
【００４０】
モジュールケース２２ａは、金属製であって、外形が直方体形状に形成されている。ＬＥＤ光源１４ａの短手方向側面および上端面を覆うベース部分１６ａと、ベース部分１６ａの長手方向における側縁の一辺から突出するＬ字断面の側面部１７ａと、ベース部分１６ａの長手方向における側縁の他辺から突出するコの字断面の側面部２３ａとで構成されている。
【００４１】
コの字断面の側面部２３ａは、実施の形態１における側面部１８ａの、長手方向における両端面を除いた形状をしており、側面部１７ａとは反対側の、ベース部分１６ａの長手方向における側縁の一辺からＬＥＤ光源１４ａとリフレクタ１５ａの長手方向側面を覆うように延在し、さらにベース部分１６ａの短手方向に沿って遠ざかる方向に張り出し、さらに張り出した部分をモジュールケース２２ａの上端面に向かって延在している。
【００４２】
また、固定片２４は、図７に示すように、直方体のカバー２５と、カバー２５内に収容されたコイルスプリング２６と、コイルスプリング２６に押圧されることで先端部がカバー２５から突出するよう設けられたＬ字状（コイルスプリング２６のはめ込み部を含めるとＴ字状）のピン２７とで構成されている。カバー２５において、ピン２７が突出する面にはピン２７の先端頭部よりも一回り大きな穴部２８が設けられており、ピン２７が突出する方向を規制している。
【００４３】
ピン２７はカバー２５内において、Ｌ字状のピン２７の短辺側がカバー２５の下端面から突出するように設けられており、この短辺をピン２７が突出する方向と反対の方向へ押すことで、ピン２７がカバー２５内へ収容される仕組みになっている。また、カバー２５の下端面にはピン２７をスライド可能にするため、ピン２７の短辺がスライドする範囲には開口部２９が設けられている。
【００４４】
固定片２４は、モジュールケース２２ａの側面部２３ａの内側に設けられ、固定片２４のピン２７が突出する面が、側面部２３ａの長手方向における両端面に合わせて、段差なく隣接するよう配置されている。
【００４５】
また、モジュールケース２２ａの側面部２３ａの下端面には、固定片２４のピン２７がスライドできるよう、固定片２４のカバー２５の下端面に設けられた開口部２８と対向する位置に開口部（図示せず）が設けられている。
【００４６】
なお、モジュールケース２２ａの側面部２３ａの下端面に開口部（図示せず）を設けることで側面部２３ａの強度が弱くなるおそれがあるが、側面部２３ａの開口部の上方に、側面部２３ａの両側面に挟まれるように設けられている固定片２４によって補強されるため、強度が弱くなることはない。
【００４７】
また、光源モジュール２１ｂは光源モジュール２１ａと回転軸５を介して線対称な構造をしており、構成については光源モジュール２１ａと同一である。なお、光源モジュール２１ａと同一な構成部分については同一符号（数字）を付し、光源モジュール２１ａ、２１ｂどちらの構成部品であるかは符号末尾の英文字で区別し、その説明は省略する。
【００４８】
次に、光源モジュールの回動方法について図９を用いて説明する。
図９は実施の形態１に係る照明器具の光源モジュールをＶ字に配置した様子をあらわしたものである。
【００４９】
光源モジュール２１ａ、２１ｂを配光角度をつけずに照射される位置に固定する場合、光源モジュール２１ａに長手方向の両端部に設けられた固定片２４のピン２７を反射板４の端板９に回転軸穴１１と水平にもうけられた固定穴１２ａに挿通させるとともに、光源モジュール２１ｂの長手方向の両端部に設けられた固定片２４のピン２７を反射板４の端板９に回転軸穴１１と水平にもうけられた固定穴１２ｅに挿通させ、光源モジュール２１ａ、２１ｂを固定する。
【００５０】
その後、光源モジュール２１ａの配光角度をＶ字型に変更する場合について説明する。
まず、光源モジュール２１ａに長手方向の両端部に設けられた固定片２４のピン２７を光源モジュール２１ａの中央部に向かって押し込み、端板９の固定穴１２ａに挿通されているピン２７をケース２５内へ収納させて光源モジュール２１ａの固定を外し、光源モジュール２１ａを端板９の固定穴１２ａに挿入しない位置へ回動させる。
【００５１】
すると、光源モジュール２１ａの長手方向の両端部に設けられた固定片２４のピン２７の先端は、端板９の表面によって押圧され、ピン２７のほとんどがケース２５内へ収納された状態が維持されるので、固定片２４のピン２７を光源モジュール２１ａの中央部に向かって押し込まなくとも、光源モジュール２１ａの回転軸５側の端部とは反対側の端部が端板９に固定されることなく、光源モジュール２１ａを自在に回動できる。
【００５２】
そして、光源モジュール２１ａの長手方向の両端部に設けられた固定片２４の穴部２８と端板９の固定穴１２ｃが重なる位置に光源モジュール２１ａを回動させる。固定片２４の穴部２８が端板９の固定穴１２ｃに重なった際、固定片２４のコイルスプリング２６の弾性力によって固定片２４のピン２７の先端が端板９の固定穴１２ｃに挿通し、固定片２４のピンに触れることなく光源モジュール２１ａが自動的に＋１０度傾いた状態で固定される。
【００５３】
その後、左側の光源モジュール２１ｂも同様に、光源モジュール２１ｂの長手方向の両端部に設けられた固定片２４のピン２７を光源モジュール２１ｂの中央部へ押し、光源モジュール２１ｂの長手方向の両端部に設けられた固定片２４のピン２７の先端が端板９の固定穴１２ｇへ挿入される位置まで光源モジュール２１ｂを回動させ、光源モジュール２１ｂを＋１０度傾いた状態で固定させる。
【００５４】
以上のように実施の形態２によれば、実施の形態１でおこなっていた、光源モジュールの配光角度の変更を行うたびに化粧板を脱着する手間が省け、また、配光角度変更のたびに固定片を照明器具から外すことで、固定片を手に持ちながら作業する必要がなく、固定片の紛失が防止できるので、使い勝手が良く振動に強い、配光変更の可能な照明器具を提供することができる。
【００５５】
なお、実施の形態１〜３では、反射板の形を円柱形状にしたが、必ずしも円柱形状にする必要はなく、三角柱状や四角柱状などでも同様の効果が得られる。
【００５６】
また、実施の形態１〜３では、反射板の端板には、端板の半円の中心点から０°、＋５°、＋１０°、−１０°の位置に固定穴を設けたが、これらの角度に限定されることはなく、より細かく刻んだ角度に固定穴を設定することで、より多くの配光角度パターンを実現することができる。
【００５７】
また、実施の形態１〜３では、光源モジュールを複数配置した例を示したが、光源モジュールが一つの場合でも同様の効果を得ることができる。
【００５８】
また、実施の形態１〜３では、端板に設けられた回転軸穴を１点としたが、端板の対称軸状に固定軸穴を複数設け、回転軸の高さを変更することで光源モジュールの配光角度をより細かく調整することができ、より使い勝手の良く振動に強い、配光変更の可能な照明器具を提供することができる。
【符号の説明】
【００５９】
１  照明器具、２  照明器具本体、３  吊り下げ具、３ａ  ナット、４  反射板、５  回動軸、６ａ、ｂ  光源モジュール、７  固定片、８  笠板、９  端板、１０  化粧板、１１  回転軸穴、１２ａ〜ｈ  固定穴、１３ａ、ｂ  モジュールケース、１４ａ、ｂ  ＬＥＤ光源、１５ａ、ｂ  リフレクタ、１６ａ、ｂ  ベース部分、１７ａ、ｂ  側面部、１８ａ、ｂ  側面部、１９  スリーブ、２０ａ、ｂ  固定穴、２１ａ、ｂ  光源モジュール、２２ａ、ｂ  モジュールケース、２３ａ、ｂ  側面部、２４  固定片、２５  カバー、２６  コイルスプリング、２７  ピン、２８  穴部、２９  開口部。
【図１】
2014120415.tif 000003
【図２】
2014120415.tif 000004
【図３】
2014120415.tif 000005
【図４】
2014120415.tif 000006
【図５】
2014120415.tif 000007
【図６】
2014120415.tif 000008
【図７】
2014120415.tif 000009
【図８】
2014120415.tif 000010
【図９】
2014120415.tif 000011